【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
第１の通信方式および第２の通信方式により通信装置と無線通信を行い、且つ印刷対象の画像の印刷を行う起動状態とスリープ状態で動作可能な印刷装置であって、
ユーザが操作を行うための操作部と、
前記印刷装置の状態が前記スリープ状態にある場合に、前記第１の通信方式に従った無線通信が可能な第１通信手段と、
前記第２の通信方式に従った無線通信を行う第２通信手段と、
前記印刷装置が前記スリープ状態であるときに実行された前記第１通信手段による前記通信装置との無線通信に基づいて、前記操作部に対する操作がなくても、前記印刷装置を前記スリープ状態から前記起動状態へ遷移させる制御手段と、
前記第１通信手段による前記通信装置との無線通信の後に、前記操作部に対する操作がなくても、前記第２通信手段により前記通信装置から印刷対象のデータを受信する受信手段と、
前記制御手段により前記印刷装置が前記起動状態に遷移した後に、前記受信手段により受信された前記印刷対象のデータに基づく印刷を実行する実行手段と、
を有することを特徴とする印刷装置。
【請求項２】
前記通信装置は、前記第１通信手段との無線通信により、前記第２通信手段との通信のための情報を取得し、
前記受信手段は、前記通信装置により取得された情報に基づく、前記通信装置と前記第２通信手段との前記第２の通信方式に従った無線通信を用いて、前記印刷対象のデータを受信することを特徴とする請求項１に記載の印刷装置。
【請求項３】
前記受信手段は、前記第２通信手段が前記通信装置から受信した所定の要求に対して前記第２通信手段により前記通信装置に応答し、該応答に応じて前記通信装置が送信した前記印刷対象のデータを受信することを特徴とする請求項１又は２に記載の印刷装置。
【請求項４】
前記受信手段は、前記印刷装置が前記起動状態に遷移した後に、前記印刷対象のデータを受信することを特徴とする請求項１乃至３のいずれか１項に記載の印刷装置。
【請求項５】
前記制御手段は、前記第１通信手段による無線通信において前記通信装置から所定の情報を受信したことに応じて、前記印刷装置を前記スリープ状態から前記起動状態へ遷移させることを特徴とする請求項１乃至４のいずれか１項に記載の印刷装置。
【請求項６】
前記第１の通信方式に従った無線通信は、ＮＦＣによる無線通信であることを特徴とする請求項１乃至５のいずれか１項に記載の印刷装置。
【請求項７】
前記第２の通信方式に従った無線通信は、無線ＬＡＮによる無線通信であることを特徴とする請求項１乃至５のいずれか１項に記載の印刷装置。
【請求項８】
前記通信装置において複数の画像が選択されている状態において前記第１通信手段により前記通信装置との無線通信が行われた場合に、前記実行手段は、前記印刷装置が前記起動状態に遷移した後に、前記第２通信手段による前記通信装置からの前記複数の画像の受信と、受信された前記複数の画像の印刷を実行することを特徴とする請求項１乃至７のいずれか１項に記載の印刷装置。
【請求項９】
第１の通信方式および第２の通信方式により通信装置と無線通信を行い、且つユーザが操作を行うための操作部を備え、且つ印刷対象の画像の印刷を行う起動状態とスリープ状態で動作可能な印刷装置の制御方法であって、
前記印刷装置の状態が前記スリープ状態にある場合に、前記第１の通信方式に従った無線通信を行う通信工程と、
前記通信工程における前記通信装置との無線通信に基づいて、前記操作部に対する操作がなくても、前記印刷装置を前記スリープ状態から前記起動状態へ遷移させる制御工程と、
前記通信工程における前記通信装置との無線通信の後に、前記操作部に対する操作がなくても、前記第２の通信方式により前記通信装置から印刷対象のデータを受信する受信工程と、
前記制御工程において前記印刷装置が前記起動状態に遷移した後に、前記受信工程において受信された前記印刷対象のデータに基づく印刷を実行する実行工程と、
を有することを特徴とする印刷装置の制御方法。
【請求項１０】
前記通信装置は、前記第１の通信方式による無線通信により、前記第２の通信方式による通信のための情報を取得し、
前記受信工程において、前記通信装置により取得された情報に基づく、前記通信装置と前記第２の通信方式に従った無線通信を用いて、前記印刷対象のデータを受信することを特徴とする請求項９に記載の印刷装置の制御方法。
【請求項１１】
前記受信工程において、前記通信装置から受信した所定の要求に対して前記第２の通信方式により前記通信装置に応答し、該応答に応じて前記通信装置が送信した前記印刷対象のデータを受信することを特徴とする請求項９又は１０に記載の印刷装置の制御方法。
【請求項１２】
前記受信工程において、前記印刷装置が前記起動状態に遷移した後に、前記印刷対象のデータを受信することを特徴とする請求項９乃至１１のいずれか１項に記載の印刷装置の制御方法。
【請求項１３】
前記制御工程において、前記第１の通信方式による無線通信において前記通信装置から所定の情報を受信したことに応じて、前記印刷装置を前記スリープ状態から前記起動状態へ遷移させることを特徴とする請求項９乃至１２のいずれか１項に記載の印刷装置の制御方法。
【請求項１４】
前記第１の通信方式に従った無線通信は、ＮＦＣによる無線通信であることを特徴とする請求項９乃至１３のいずれか１項に記載の印刷装置の制御方法。
【請求項１５】
前記第２の通信方式に従った無線通信は、無線ＬＡＮによる無線通信であることを特徴とする請求項９乃至１４のいずれか１項に記載の印刷装置の制御方法。
【請求項１６】
前記通信装置において複数の画像が選択されている状態において前記第１の通信方式による前記通信装置との無線通信が行われた場合に、前記実行工程において、前記印刷装置が前記起動状態に遷移した後に、前記第２の通信方式による前記通信装置からの前記複数の画像の受信と、受信された前記複数の画像の印刷を実行することを特徴とする請求項９乃至１５のいずれか１項に記載の印刷装置の制御方法。
【手続補正２】
【補正対象書類名】明細書
【補正対象項目名】発明の名称
【補正方法】変更
【補正の内容】
【発明の名称】印刷装置および印刷装置の制御方法
【手続補正３】
【補正対象書類名】明細書
【補正対象項目名】０００１
【補正方法】変更
【補正の内容】
【０００１】
本発明は、第１の通信方式および第２の通信方式により通信装置と無線通信を行い、且つ印刷対象の画像の印刷を行う起動状態とスリープ状態で動作可能な印刷装置、および該印刷装置の制御方法に関する。
【手続補正４】
【補正対象書類名】明細書
【補正対象項目名】０００５
【補正方法】変更
【補正の内容】
【０００５】
即ち、外部装置はプリンタ装置が通常状態になったのを検出した後に、ジョブを送信する必要がある。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
上記目的を達成するために本発明の印刷装置は次のような構成を含む。
【手続補正７】
【補正対象書類名】明細書
【補正対象項目名】０００８
【補正方法】変更
【補正の内容】
【０００８】
即ち、第１の通信方式および第２の通信方式により通信装置と無線通信を行い、且つ印刷対象の画像の印刷を行う起動状態とスリープ状態で動作可能な印刷装置であって、ユーザが操作を行うための操作部と、前記印刷装置の状態が前記スリープ状態にある場合に、前記第１の通信方式に従った無線通信が可能な第１通信手段と、前記第２の通信方式に従った無線通信を行う第２通信手段と、前記印刷装置が前記スリープ状態であるときに実行された前記第１通信手段による前記通信装置との無線通信に基づいて、前記操作部に対する操作がなくても、前記印刷装置を前記スリープ状態から前記起動状態へ遷移させる制御手段と、前記第１通信手段による前記通信装置との無線通信の後に、前記操作部に対する操作がなくても、前記第２通信手段により前記通信装置から印刷対象のデータを受信する受信手段と、前記制御手段により前記印刷装置が前記起動状態に遷移した後に、前記受信手段により受信された前記印刷対象のデータに基づく印刷を実行する実行手段と、を有する。
【手続補正８】
【補正対象書類名】明細書
【補正対象項目名】０００９
【補正方法】変更
【補正の内容】
【０００９】
また本発明を別の側面から見れば、第１の通信方式および第２の通信方式により通信装置と無線通信を行い、且つユーザが操作を行うための操作部を備え、且つ印刷対象の画像の印刷を行う起動状態とスリープ状態で動作可能な印刷装置の制御方法であって、前記印刷装置の状態が前記スリープ状態にある場合に、前記第１の通信方式に従った無線通信を行う通信工程と、前記通信工程における前記通信装置との無線通信に基づいて、前記操作部に対する操作がなくても、前記印刷装置を前記スリープ状態から前記起動状態へ遷移させる制御工程と、前記通信工程における前記通信装置との無線通信の後に、前記操作部に対する操作がなくても、前記第２の通信方式により前記通信装置から印刷対象のデータを受信する受信工程と、前記制御工程において前記印刷装置が前記起動状態に遷移した後に、前記受信工程において受信された前記印刷対象のデータに基づく印刷を実行する実行工程と、を有する。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
従って本発明によれば、印刷装置がスリープ状態であっても無線通信を介して通信装置から起動状態に遷移させることができるという効果がある。